(57)【要約】  本発明は、男性用失禁ガード１０に関するものである。このガードは、横方向区画線２５によって、前方横方向縁部２０を伴う前方領域１８と、および後方横方向縁部２４を伴う後方領域２２とに区画される。ガード１０は、後方横方向縁部へ向かってテーパー形状をなしている。ガード１０の衣類に面する表面２６は、粘着性手段からなる第１のストランド２８および第２のストランド３０を備えている。粘着性手段からなる第１のストランド２８および第２のストランド３０の位置および寸法は、着用者の下着へのガード１０の固定状態を改善する。
2009516539.tif 000002
【特許請求の範囲】
【請求項１】
男性用失禁ガード(１０)であって、前記ガードは横方向(ｘ)および長手方向(ｙ)を有しており、前記ガードは、横方向区画線(２５)によって、前方横方向縁部(２０)を備えた前方領域(１８)と、および後方横方向縁部(２４)を備えた後方領域(２２)とに区画されており、前記ガードは、後方横方向縁部(２４)に向かってテーパー形状をなしており、
前記ガード(１０)の衣類に面する表面(２６)は粘着性手段からなる第１のストランド(２８)および第２のストランド(３０)を具備してなり、粘着性手段からなる前記第１のストランド(２８)は前記ガード(１０)の前記前方領域(１８)内に配置されており、前記第１のストランド(２８)は前記横方向(ｘ)にその実質的な長さを有しており、前記第１のストランド(２８)の前方横方向縁部(２７)は前記ガード(１０)の前記前方横方向縁部(２０)から５〜４０ｍｍ離れて配置されており、前記第１のストランド(２８)の前記後方横方向縁部(２９)は前記ガード(１０)の前記横方向区画線(２５)から５〜５０ｍｍ離れて配置されており、かつ前記第１のストランド(２８)は７０〜１７０ｍｍの前記横方向(ｘ)の長さ(ｘ１)を有しており、
粘着性手段からなる前記第２のストランド(３０)は前記ガード(１０)の前記後方領域(２２)内に配置されており、前記第２ストランド(３０)は前記長手方向(ｙ)にその実質的な長さを有しており、前記第２のストランド(３０)の前記前方横方向縁部(３１)は前記ガード(１０)の前記前方横方向区画線(２５)から５〜５０ｍｍ離れて配置されており、前記第２のストランド(３０)の前記後方横方向縁部(３３)は前記ガード(１０)の前記後方横方向縁部(２４)から５〜５０ｍｍ離れて配置されており、前記第２のストランド(３０)は５〜６０ｍｍの前記横方向(ｘ)の長さ(ｘ２)を有していることを特徴とする男性用失禁ガード。
【請求項２】
粘着性手段からなる前記ストランド(２８，３０)は連続していることを特徴とする請求項１に記載の男性用失禁ガード。
【請求項３】
粘着性手段からなる少なくとも一つの前記ストランド(２８，３０)は、間欠的な小領域(２８’，３０’)を具備してなることを特徴とする請求項１に記載の男性用失禁ガード。
【請求項４】
前記小領域(２８’，３０’)は、前記ガード(１０)の前記長手方向(ｙ)に実質的に延在することを特徴とする請求項３に記載の男性用失禁ガード。
【請求項５】
粘着性手段からなる個々のストランド(２８，３０)は、使用前には、別体の除去可能なカバーシート(３２，３４)によって覆われていること特徴とする請求項１ないし請求項５のいずれか一項に記載の男性用失禁ガード。
【発明の詳細な説明】
【技術分野】
【０００１】
本発明は、男性用失禁ガードに関するものである。この失禁ガードは、使い捨て可能であり、すなわちそれは一度だけ使用されるものであり、しかも液体浸透性の表面シート、非液体浸透性の背面シート、およびそれらの間に配置されている吸収コアを備えている。特に、本発明は、着用者の肌着への固定を改良した失禁ガード関するものである。
【背景技術】
【０００２】
軽度の失禁は、患者に不随意の尿漏れを引き起こし、それは一般に、隠れた能力障害である。この問題およびその原因は男性と女性とでは異なる。前立腺問題を患う多くの男性は、軽度の失禁もまた患っている。例えば、前立腺の手術を受けたことがある多くの男性は、軽度の失禁を伴う問題に遭遇している。男性と女性の間の身体構造上の相違、および失禁の特性の相違のため、失禁ガードは男性使用者のために特別にデザインされてきた。
【０００３】
典型的な男性失禁ガードは、特許文献１に開示されている。それは、ガードの前部において広がり、またガードの後方縁部に向かってテーパー形状をなしている。上述の失禁ガードは、着用者の下着に密着し、かつ着用者の陰茎(および、ときには陰嚢)を包む性能を有している。特許文献１には、着用者の下着に固定するための三つの粘着性パッチを備えたガードが示されている。
【０００４】
特許文献２もまた、代表的な男性用失禁ガードを開示している。
【０００５】
特許文献３もまた、男性のための失禁ガード(吸収性パッド)を示している。このガードは、除去可能なカバーシートに覆われた粘着性領域を有している。
【０００６】
男性用失禁ガードの技術とデザインは多くの場合、例えばパンティライナー、女性用失禁ガードおよび生理用ナプキンなどのような製品のための女性用市場が昔から大規模であるため、本質的に女性使用者のために意図された吸収用品に基づいている。しかしながら、本発明者は、女性着用者が使用するように意図された用品によって提供された解決策は、男性用失禁ガードに応用するのは常に最適ではないことを見い出した。特に、女性着用者によって使用されることを意図された用品は、着用者の下着内に用品を固着する手段を提供するが、それは、男性着用者によって使用されることを意図した用品をしっかり固着することを試みる場合には常に全く適切ではない。この独自の問題は、下着の型の違い、性別による身体構造上の違い、使用中の用品の位置の違い、およびに男性着用者と女性着用者のための用品のデザインの違いに起因する。
【特許文献１】西独国実用新案第298 21 849号明細書
【特許文献２】米国特許第5,486,168号明細書
【特許文献３】国際公開第92/01431号パンフレット
【発明の開示】
【発明が解決しようとする課題】
【０００７】
使用者の下着の中に堅固にかつ確実に固定可能な、男性用の失禁ガードが求められている。この失禁ガードは、使い捨て可能であるように意図されているため、構成要素のコストもまた重要な要因である。したがって、ガードの有効性とその構成要素のコストとのバランスが必要とされる。
【課題を解決するための手段】
【０００８】
本発明は、軽症の失禁を患っている男性のための失禁ガードを提供する。特に、本発明の失禁ガードは、使用者の下着に堅固にかつ安定して固定されたままであると同時に、構成要素にかかるコストを最小化する。
【０００９】
本発明は男性用失禁ガードに関するものであって、当該ガードは横方向(ｘ)および長手方向(ｙ)を有している。ガードは、横方向区画線によって、前方横方向縁部を備えた前方領域と、および後方横方向縁部を備えた後方領域とに区画されている。ガードは、後方横方向縁部に向かってテーパー形状をなしている。ガードの衣類に面する表面は粘着性手段からなる第１のストランドおよび第２のストランドを具備している。粘着性手段からなる第１のストランドはガードの前方領域内に配置されており、かつ第１のストランドは横方向(ｘ)にその実質的な長さ(延長の範囲)を有している。第１のストランドの前方横方向縁部はガードの前方横方向縁部から５〜４０ｍｍ離れて配置されており、また第１のストランドの後方横方向縁部はガードの横方向区画線から５〜５０ｍｍ離れて配置されている。第１のストランドは７０〜１７０ｍｍの横方向(ｘ)の長さを有している。粘着性手段からなる第２のストランドはガードの後方領域内に配置されており、また長手方向(ｙ)にその実質的な長さを有している。第２のストランドの前方横方向縁部はガードの前方横方向区画線から５〜５０ｍｍ離れて配置されており、かつ第２のストランドの後方横方向縁部はガードの後方横方向縁部から５〜５０ｍｍ離れて配置されている。第２のストランドは５〜６０ｍｍの横方向(ｘ)の長さを有している。
【００１０】
本発明に基づく男性用失禁ガードにおいて、粘着性手段からなるストランドは、連続的であってもよい。あるいは、粘着性手段からなる少なくとも一つのストランドは、断続的であってもよい。ストランドが断続的であった場合、この粘着性手段からなる個々のストランドの小領域は、ガードの長手方向において実質的に延在する。粘着性手段からなる個々のストランドは、使用前に、別体の除去可能なカバーシートによって覆われてもよい。
【発明を実施するための最良の形態】
【００１１】
図１および図２は、衣類に面する側面から見た、本発明に基づく男性用失禁ガード１０を示している。これらの図において、このガードは全方向において平らに引き伸ばされている。
【００１２】
このガード１０は、液体浸透性表面シート１２、非液体浸透性背面シート１４およびそれらの間に配置された吸収コア１６を備えている。液体浸透性表面シート１２は、不織素材、例えば連続フィラメントのスパンボンド材料、メルトブローン材料、ボンデットカーデット繊維ウェブ、または有孔プラスティックフィルムから構成できる。異なる種類のラミネート、例えば不織素材およびプラスティックフィルムからなるラミネートもまた使用されてよい。液体浸透性表面シート１２に適する素材は、軟質であり肌を刺激しないものが望ましい。さらに、この表面シート１２は、ガード１０のさまざまな部分において異なり得る。非液体浸透性背面シート１４は、プラスティックフィルム、液体不浸透性物質で処理された不織素材、または液体の浸透に抗する疎水性不織素材から構成され得る。他の種類の液体遮断素材、例えば、独立気泡プラスティックフォーム、多様な液体遮断ラミネートなどもまた当然ながら非液体浸透性背面シート１４に使用されてよい。非液体浸透性背面シート１４は、空気および蒸気が浸透可能であれば好ましい。
【００１３】
表面シート１２および背面シート１４は、吸収コア１６に比べて、平面内において、ある程度大きな長さを有しており、かつその縁部の外側へ延在している。表面シート１２および背面シート１４はその延在部において、例えば接着、もしくは熱または超音波による溶着によって互いに結合されている。
【００１４】
吸収コア１６は、いかなる従来の種類のものであってもよい。よく見られる吸収性素材の例は、セルロースフラッフパルプ、ティッシュ層、高い吸収性を有するポリマー(いわゆる超吸収材)、吸収性フォーム素材、吸収性不織布、またはそれに類似するものである。セルロースフラッフパルプと超吸収材とを吸収体内で組み合わせることも一般的である。また、液体の捕捉能力、液体分散能力、および貯蔵能力に関する異なる特性を持った異なる構成要素の層を備えている吸収体を有していることも一般的である。失禁ガードにおいて、一般的である薄い吸収体は、多くの場合、セルロースフラッフパルプおよび超吸収体の構造体の混合圧縮したもの、もしくは重ねられたものを備えている。
【００１５】
ガードは、横方向(ｘ)および長手方向(ｙ)を有しており、長手方向中心線１７に関して対照的である。ガードは、横方向区画線２５によって、前方横方向縁部２０を備えた前方領域１８と、および後方横方向縁部２０を備えた後方領域２２とに区画される。
【００１６】
前方領域１８は、ガード１０が着用されている際に、着用者の前方へ配置されるよう意図されている、ガード１０の領域である。この前方領域１８は、一つの辺を前方横方向縁部２０によって、向かい合った二つの辺をガードの長手方向縁部１９，２１によって、かつ残りの辺をガードの横方向区画線２５によって規定される。この前方領域１８は、前方横方向縁部２０から最大で１４０ｍｍ、好ましくは最大で１２０ｍｍ、最も好ましくは最大で１００ｍｍの長さだけ、長手方向(ｙ)に延在している。
【００１７】
ガード１０はさらに、後方横方向縁部２４を備えた後方領域２２を備えている。この後方領域２２は、ガード１０が着用されている際に、着用者の後方に配置されるよう意図されている、ガード１０の領域である。後方領域２２は、一つの辺を後方横方向縁部２４によって、向かい合った二つの辺をガードの長手方向縁部１９，２１によって、かつ残りの辺をガードの横方向区画線２５によって限定される。後方領域２２は、後方横方向縁部２４から最大で２００ｍｍ、好ましくは最大で１７５ｍｍ、最も好ましくは最大で１５０ｍｍの長さだけ、長手方向(ｙ)に延在している。
【００１８】
前方もしくは後方縁部２０，２４と、隣接する長手方向縁部１９，２１との間の移行部は、ガードの形状から明らかであろう。そうでない場合、それは、ガードの縁部の接線を描くこと、および横方向(ｘ)とともにこの接線がなす角度を算出することによって特定されてよい。この接線が用品の縁部に沿って異なる点へ動くとき、接線と横方向(ｘ)とがなす角度は変化する。前方もしくは後方縁部２０，２４と、隣接する長手方向縁部１９，２１との間の移行部は、横方向（ｘ）に関する、接線と横方向との間の角度の微分係数が、最大になるポイントである。
【００１９】
ガード１０は、後方横方向縁部２４に向かってテーパー形状をなしている。それゆえ、ガード１０は、全方向に完全に引き伸ばされたとき、形状において、本質的に三角形または本質的に二等辺の台形である。「本質的」という用語は本明細書中において、例えば、ガードの角は丸みをおびていてもよく、もしくはガードの縁部は完全な直線でなくともよいが、しかし、ガードは通常、上記の形状を有しているということを意味する。テーパー形状は、ガード１０が男性着用者の鼠径部に快適に装着されることを可能とする。
【００２０】
ガード１０の非液体浸透性背面シート１４は、衣類に面する表面２６を有しており、それは、ガードが着用されているとき、使用者の下着と接触する表面である。衣類に面する表面２６は、第１のストランド２８および第２のストランド３０である、二つの粘着性手段からなるストランドを有している。
【００２１】
本発明のある態様によると、粘着性手段は、感圧接着剤である。本発明のさらなる態様によると、粘着手段はホットメルト接着剤である。さらに望ましくは、この接着剤は、感圧ホットメルト接着剤である。この接着剤は、国際出願ＰＣＴ/SE2004/002058号に開示されているように、紫外線によって硬化し得る。
【００２２】
粘着性手段は、市販されている多数の感圧接着材のいずれか(低温、アクリラートのような感圧接着剤、通常ポリテルペンのような粘着剤と組み合わせられているものを含む)、あるいはスチレンおよびブタジエンコポリマーのような速硬熱可塑性接着材(またはホットメルト接着)であるいずれかの感圧接着剤であり得る。フィラー、抗酸化剤および不溶性着色剤のような他の成分が含まれていてもよい。粘着手段はまた、両面粘着性テープもしくは他の型の粘着剤を備えてよい。
【００２３】
ガード１０の層もしくは外部の衣類に面する表面に配置された粘着性手段の面重量は、例えば使用される特定の粘着剤に依存して変化しうるが、実質的に４０ｇ／ｍ2またはそれ以下となる。なぜなら量が多いと、使用者の下着に張り付くときに、粘着力が強すぎてしまうという問題が生じるためである。
【００２４】
粘着性手段からなる第１のストランド２８は、ガード１０の前方領域１８に配置され、ガード１０の横方向(ｘ)にその実質的な長さを有している。第１のストランド２８の前方横方向縁部２７、すなわちガード１０の前方横方向縁部２０に最も近接している縁部は、５〜４０ｍｍ、好ましくは１０〜３０ｍｍ、最も好ましくは２０〜２５ｍｍだけ、縁部２０から離れて配置されている。第１のストランド２８の後方横方向縁部２９、すなわちガード１０の後方横方向縁部２４に最も近接している縁部は、５〜５０ｍｍ、好ましくは１５〜４０ｍｍ、最も好ましくは２０〜３５ｍｍだけ、ガード１０の横方向区画線２５から離れて配置されている。第１のストランド２８は７０〜１７０ｍｍ、好ましくは９０〜１３０ｍｍ、最も好ましくは１００〜１２０ｍｍの横方向(ｘ)における長さｘ１を有しており、この場合、第１のストランド２８は、ガード１０の長手方向中心線１７に対応して横方向において中央に置かれる。
【００２５】
粘着性手段からなる第２のストランド３０は、ガード１０の後方領域２２に配置され、長手方向(ｙ)にその実質的な長さを有している。第２のストランド３０の前方横方向縁部３１、すなわちガード１０の前方横方向縁部２０に最も近接している縁部は、５〜５０ｍｍ、好ましくは１０〜３５ｍｍ、最も好ましくは２０〜３０ｍｍだけ、ガード１０の横方向区画線２５から離れて配置されている。第２のストランド３０の後方横方向縁部３３、すなわちガード１０の後方横方向縁部２４に最も近接している縁部は、５〜５０ｍｍ、好ましくは１０〜４０ｍｍ、最も好ましくは１５〜３０ｍｍだけ、縁部２４から離れて配置されている。第２のストランド３０は横方向（ｘ）へ５〜６０ｍｍ、好ましくは３０〜５０ｍｍ、最も好ましくは５０ｍｍの長さｘ２を有しており、この場合、第２のストランド３０は、ガード１０の長手方向中心線１７に対応して横方向において中央に置かれる。
【００２６】
失禁ガードにおいて、本発明に基づく位置および寸法に関する要求を満たしていない粘着手段からなるストランドは、着用者の下着に対してしっかり固定するという条件を満たさない。例えば、ガード１０の粘着性手段からなる第１のストランド２８が前方横方向縁部２０もしくは横方向区画線２５から上記距離の範囲に存在しない場合、ガードの前方領域１８は、着用者の下着に十分に固定されないことになる。同様に、横方向において、粘着性手段からなる第１のストランド２８の長さｘ１が上述の長さより少ない場合、失禁ガード１０の長手方向縁部１９，２１は、ガードの前側の半体において、着用者の下着に十分固定されないことになる。同じことが、ガードの後方領域内の粘着性手段からなる第２のストランド３０にも当てはまる。
【００２７】
図１に示された一実施形態において、粘着性手段からなるストランド２８，３０は連続的である。
【００２８】
図２に示された一実施形態において、粘着性手段からなる少なくとも一つのストランド２８，３０は、断続的である。これは、上述の実施例のような粘着特性と実質的に同一のガードを提供し、さらに粘着剤の総量の低減を可能とする。この実施形態において、個々の粘着性手段からなるストランド２８，３０の小領域２８’，３０’は、ガード１０の長手方向(ｙ)に、実質的に延在する。この方法では、すべての小領域が整列させられるため、粘着性手段の自動的な取り付けは、より容易になる。
【００２９】
相互に等しい長さのあらかじめ引き伸ばされた弾性部材３６は、ガード１０の長手方向縁部１９，２１に付加されてもよい。この弾性部材３６は、具体的に、弾性糸、バンドなどの形態であってもよい。弾性フォーム素材の使用もまた考え得る。弾性部材３６は、好ましくは表面シートまたは背面シートである１２，１４のどちらか一方または両方に接着される。弾性部材は、長手方向１９，２１から、ある所望の距離だけ離して設置されてもよく、しかも、長手方向縁部において表面シート１２と背面シート１４とが重なり合った範囲は、いかなる所望の寸法もとり得る。弾性部材３６は、着用者の性器を包み、密着状態の保持に役立つ、たらいのような形状にガード１０を形成することに役立つ。本発明のガードの一つの変形においては、横断(すなわち横方向)の伸縮性を提供することが考えられ、その結果、ガードはまた軸線の周りに曲げられることとなる。たらいのような形状を実現するための弾性部材の使用は、さらに米国特許第5,486,168号明細書に記載されており、また図３に示されている。
【００３０】
粘着性手段を汚損および損傷から保護すること、およびその使用前にその付着を防止するため、粘着性手段からなる個々のストランド２８，３０は、使用前に別体の除去可能なカバーシート３２，３４によって覆われている(図１および図２参照)。除去可能なカバーシートはまた、使用前に粘着手段が乾燥することを防ぐために使用される。二つの除去可能なカバーシート３２，３４を設けたことにより、粘着手段の配置により大きな柔軟性を実現され、そして粘着手段の両方のストランドを覆う単一の除去可能なカバーシートと比較して、高価な素材の使用量を最小限に抑える。このような除去可能なカバーシートは、例えば容易に粘着手段から取り外せるように処理をされた紙、例えばシリコーンを用いて処理された紙片から作られてもよい。
【００３１】
本発明は、上記の実施態様および図によって限定されるものではない。むしろ、保護の範囲は、特許請求の範囲の記載によって特定される。
【図面の簡単な説明】
【００３２】
【図１】衣類に面する側から見た、本発明に基づく失禁ガードの一実施形態を示す図である。
【図２】衣類に面する側から見た、本発明に基づく失禁ガードの実施例を示す図であり、このものでは粘着性手段からなるストランドは断続的である。
【図３】本発明に基づく失禁ガードの使用状態での斜視図である。
【符号の説明】
【００３３】
１０  男性用失禁ガード
１２  表面シート
１４  背面シート
１６  吸収コア
１７  長手方向中心線
１８  前方領域
１９，２１  長手方向縁部
２０  前方横方向縁部
２２  後方領域
２４  後方横方向縁部
２５  横方向区画線
２６  衣類に面する表面
２７  前方横方向縁部
２８  第１のストランド
２８’  小領域
２９  後方横方向縁部
３０  第２のストランド
３０’  小領域
３１  前方横方向縁部
３２  カバーシート
３３  後方横方向縁部
３４  カバーシート
３６  弾性部材
【図１】
2009516539.tif 000003
【図２】
2009516539.tif 000004
【図３】
2009516539.tif 000005
【国際調査報告】
2009516539.tif 000006
2009516539.tif 000007
2009516539.tif 000008
2009516539.tif 000009